(57)【要約】【課題】ＬＥＤチップ等の半導体チップの発熱を効率良く放熱することができる半導体素子を実現する。【解決手段】樹脂より成り、孔16が形成された略リング状の枠体18と、枠体18の底面18ａの略全面を覆う略円板状の先端部20ａ及び枠体18を貫通して外方へ向かって水平方向に取り出される後端部20ｂを有し、熱伝導性が良好な導電材料より成る第１のリードフレーム20と、上記孔16内に露出した第１のリードフレーム20の先端部20ａに配置されるＬＥＤチップ24を有するＬＥＤ（半導体素子）10。【選択図】図１
2008187029.tif 000002
【特許請求の範囲】
【請求項１】
孔が形成された枠体と、該枠体の底面の略全面を覆う熱伝導性が良好な導電材料より成る第１のリードフレームと、該第１のリードフレーム上に配置される半導体チップを有することを特徴とする半導体素子。
【請求項２】
上記枠体を貫通して孔内に露出する第２のリードフレームを有しており、該第２のリードフレームと、上記第１のリードフレームとは、上下方向に所定の間隙を設けて対向配置されることにより絶縁されていることを特徴とする請求項１に記載の半導体素子。
【請求項３】
上記リードフレームが、銅合金で構成されていることを特徴とする請求項１又は２に記載の半導体素子。         
【請求項４】
上記第１のリードフレームを、他の放熱部材に接続させることにより、上記半導体チップの発熱を放熱可能と成されていることを特徴とする請求項１乃至３の何れかに記載の半導体素子。
【請求項５】
上記半導体チップが、発光ダイオードチップ、レーザーダイオードチップの何れかであることを特徴とする請求項１乃至４の何れかに記載の半導体素子。
【発明の詳細な説明】
【技術分野】
【０００１】
この発明は、発光ダイオードチップ（ＬＥＤチップ）、レーザーダイオードチップ等の半導体チップの発熱を効率良く放熱することができる放熱特性に優れた半導体素子に関する。
【背景技術】
【０００２】
図１６は、従来の半導体素子としてのＬＥＤ（発光ダイオード）を示すものであり、このＬＥＤ60は、絶縁基板62の表面に、その底面から上方に向かって孔径が徐々に拡大する略漏斗形状の凹部を設けると共に該凹部内面を反射面と成してリフレクタ64を形成して成る。
【０００３】
上記絶縁基板62の表面には、第１の導体パターン66と第２の導体パターン68とが相互に絶縁状態で被着形成されており、上記リフレクタ64の底面において、半導体チップとしてのＬＥＤチップ70を第１の導体パターン66にダイボンドすることにより、上記第１の導体パターン66と、ＬＥＤチップ66底面の一方の電極（図示せず）とを電気的に接続している。また、第２の導体パターン68と、上記ＬＥＤチップ70上面の他方の電極（図示せず）とをボンディングワイヤ72を介して電気的に接続して成る。
【０００４】
上記第１の導体パターン66には第１のリードフレーム74が接続され、第２の導体パターン68には第２のリードフレーム76が接続されている。第１のリードフレーム74及び第２のリードフレーム76は、絶縁基板62の表面から側面を通って絶縁基板62の外方へ延設されている。
また、上記絶縁基板62の表面は、先端に凸レンズ部78を有する透光性の蓋部材80によって封止されている。
【０００５】
而して、上記第１のリードフレーム74及び第２のリードフレーム76を介してＬＥＤチップ70に電圧が印加されると、ＬＥＤチップ70から所定波長の光が発光し、蓋部材80の凸レンズ部78によって集光されて外部へ放射されるようになっている。
【発明の開示】
【発明が解決しようとする課題】
【０００６】
上記した従来のＬＥＤ60にあっては、ＬＥＤ60を長時間駆動させたり、発光輝度を高めるために高電流駆動させた場合には、ＬＥＤチップ70が著しく発熱して高温状態となり、ＬＥＤチップ70の熱劣化を生じていた。
【０００７】
本発明は、上記従来の問題点に鑑みてなされたものであり、その目的は、ＬＥＤチップ等の半導体チップの発熱を効率良く放熱することができる放熱特性に優れた半導体素子を実現することにある。
【課題を解決するための手段】
【０００８】
上記の目的を達成するため、本発明に係る半導体素子は、孔が形成された枠体と、該枠体の底面の略全面を覆う熱伝導性が良好な導電材料より成る第１のリードフレームと、該第１のリードフレーム上に配置される半導体チップを有することを特徴とする。
上記枠体を貫通して孔内に露出する第２のリードフレームを有する構造と成しも良く、この場合、第２のリードフレームと、上記第１のリードフレームとは、上下方向に所定の間隙を設けて対向配置されることにより絶縁される。
上記第１のリードフレームは、銅合金で構成するのが適当である。
【０００９】
上記第１のリードフレームを、他の放熱部材に接続させることにより、上記半導体チップの発熱を放熱可能と成しても良い。
上記半導体チップとしては、例えば、発光ダイオードチップ、レーザーダイオードチップ等が該当する。
【発明の効果】
【００１０】
本発明の半導体素子にあっては、半導体チップの発熱を、第１のリードフレームを介して半導体素子外部へと放熱できるようになっており、しかも、半導体チップが配置された第１のリードフレームが、枠体底面の略全面を覆う形状と成されているので、放熱面積を大きく確保することができ、放熱効果が高い。
枠体を貫通して孔内に露出する第２のリードフレームを有する構造とした場合、第２のリードフレームと、第１のリードフレームとを、同一平面上に配置せず、上下方向に所定の間隙を設けて対向配置したことにより、第１のリードフレームで枠体底面の略全面を覆っても、第１のリードフレームと第２のリードフレーム間の絶縁性を確保できる。
【００１１】
上記第１のリードフレームを、他の放熱部材に接続させることにより、上記半導体チップの発熱を、更に他の放熱部材へと放熱することができる。
【発明を実施するための最良の形態】
【００１２】
以下、図面に基づき、本発明に係る半導体素子の実施形態を説明する。
図１は、本発明に係る半導体素子としてのＬＥＤ（発光ダイオード）10を模式的に示す平面図、図２は、本発明に係るＬＥＤ10を模式的に示す概略断面図である。
本発明のＬＥＤ10は、樹脂より成り、孔16が形成された略リング状の枠体18と、第１のリードフレーム20及び第２のリードフレーム22を有している。これらリードフレーム20，22の板厚は０．３mm程度と成されている。
第１のリードフレーム20は、上記枠体18の底面18ａの略全面を覆う略円板状の先端部20ａと、枠体18を貫通して外方へ向かって水平方向に取り出される後端部20ｂを有している。第１のリードフレーム20の先端部20ａの一部は上記孔16内に露出しており、該孔16内に露出した第１のリードフレーム20の先端部20ａに、半導体チップとしてのＬＥＤチップ24をダイボンドすることにより、第１のリードフレーム20とＬＥＤチップ24底面の一方の電極（図示せず）とを電気的に接続している。
【００１３】
また、第２のリードフレーム22は、上記枠体18を貫通して孔16内に露出する先端部22ａと、枠体18の外方へ向かって水平方向に取り出されている後端部22ｂを有しており、第２のリードフレーム22の先端部22ａと、上記ＬＥＤチップ24上面の他方の電極（図示せず）とをボンディングワイヤ26を介して電気的に接続して成る。
【００１４】
上記第１のリードフレーム20の先端部20ａと、第２のリードフレーム22の先端部22ａは、上下方向に所定の間隙を設けて対向配置されることにより、相互に絶縁されている。
而して、本発明にあっては、第１のリードフレーム20の先端部20ａと、第２のリードフレーム22の先端部22ａを同一平面上に配置せず、上下方向に所定の間隙を設けて対向配置したことにより、第１のリードフレーム20の先端部20で枠体18の底面18ａの略全面を覆っても、第１のリードフレーム20と第２のリードフレーム22間の絶縁性を確保できるのである。
【００１５】
上記ＬＥＤチップ24は、電圧が印加されると所定波長の光を発光し、例えば、窒化ガリウム系半導体結晶で構成されている。
また、上記枠体18の孔16内には、エポキシ樹脂等より成る透光性のコーティング材28を充填してＬＥＤチップ24を封止して成る。
【００１６】
而して、上記第１のリードフレーム20及び第２のリードフレーム22を介してＬＥＤチップ24に電圧が印加されると、ＬＥＤチップ24から所定波長の光が発光し、コーティング材28を透過して外部へ放射されるようになっている。
【００１７】
上記した本発明のＬＥＤ10にあっては、ＬＥＤチップ24の発熱を、第１のリードフレーム20を介してＬＥＤ10外部へと放熱できるようになっており、しかも、ＬＥＤチップ24が配置された第１のリードフレーム20の先端部20ａが、枠体底面18ａの略全面を覆う形状と成されているので、放熱面積を大きく確保することができ、放熱効果が高い。
上記第１のリードフレーム20は、熱伝導性が良好な導電材料である銅合金で構成することができる。                                   
【００１８】
尚、上記した本発明のＬＥＤ10は、ＬＥＤチップ24が配置された第１のリードフレーム20の先端部20ａを、他の放熱部材に接続することにより、更に放熱効果を高めることができる。
図３〜図５は、上記ＬＥＤ10を、他の放熱部材に接続して使用する場合を示したものであり、本発明のＬＥＤ10と、枠部材14と、放熱部材15とを一体化して構成されている。図３において、42は高熱伝導性絶縁接着材42であり、該高熱伝導性絶縁接着材42を介してＬＥＤ10と放熱部材15とが接続されている。該高熱伝導性絶縁接着材42の厚さは２０〜３０μｍと成されている。
【００１９】
図６〜図９は、放熱部材15を示すものであり、図６は正面図、図７は平面図、図８は側面図、図９は図７のＢ−Ｂ断面図である。
放熱部材15は、熱伝導性が良好なアルミニウム等の導電材料で構成されており、本体部30と、一対の切欠部32（図７）を有している。    
【００２０】
図１０〜図１２は、枠部材14を示すものであり、図１０は平面図、図１１は側面図、図１２は図１０のＣ−Ｃ断面図である。
枠部材14は、樹脂等の絶縁材料で構成されており、導電材料で構成された上記放熱部材15と、ＬＥＤ10の第１のリードフレーム20、第２のリードフレーム22との絶縁性を確保するために用いられるものである。
【００２１】
上記枠部材14は、上記ＬＥＤ10の枠体18の側周面18ｂ（図２参照）に当接して囲繞する略リング状の本体部34と、該本体部34の下端に形成され、上記放熱部材15の切欠部32形成位置の本体部の側周面30ａ（図７参照）に当接して覆う一対の垂下部36と、本体部34上端から垂下部36下端に至るまで形成された一対の切欠部38を有している。  また、上記垂下部36には、ＬＥＤ10を載置する段部40が形成されており、該段部40にＬＥＤ10を載置した際、ＬＥＤ10の第１のリードフレーム先端部20ａと放熱部材15との間に２０〜３０μｍの間隙が形成されるよう設計されている。
さらに、上記切欠部38の幅は、ＬＥＤ10の第１のリードフレーム20及び第２のリードフレーム22の幅と略同一と成されている。
【００２２】
上記ＬＥＤ10、枠部材14、放熱部材15は、図１３に示す要領で一体化される。すなわち、表面に高熱伝導性絶縁接着材42を２０〜３０μｍの厚さで被着した放熱部材15に枠部材14を嵌合し、以て、放熱部材15の切欠部32形成位置の本体部側周面30ａを、枠部材14の垂下部36で覆う。
次に、ＬＥＤ10を、枠部材14の垂下部36の段部40上に載置し、ＬＥＤ10の枠体18の側周面18ｂを、枠部材14の本体部34で囲繞することにより、ＬＥＤ10と枠部材14との嵌合を行う。
この結果、ＬＥＤ10の枠体底面の18ａの略全面を覆う第１のリードフレーム先端部20ａと放熱部材15とが高熱伝導性絶縁接着材42を介して接続される。
【００２３】
上記の通り、枠部材14の切欠部38の幅が、ＬＥＤ10の第１のリードフレーム20及び第２のリードフレーム22の幅と略同一と成されているので、第１のリードフレーム20及び第２のリードフレーム22を上記切欠部38内に挿通することにより、ＬＥＤ10と枠部材14との嵌合時の位置決めを容易に行うことができると共に、ＬＥＤ10の第１のリードフレーム20及び第２のリードフレーム22が切欠部38内でガタツキを生じることがなく、ＬＥＤ10と枠部材14とを強固に固定できる。
【００２４】
上記高熱伝導性絶縁接着材42としては、例えば、熱伝導性が良好な金属粉末を、シリコン樹脂、エポキシ樹脂、ポリイミド樹脂等の樹脂中に混合して成る高熱伝導性樹脂が該当する。
尚、高熱伝導性絶縁接着材42の厚さが大きいと、熱伝導性を阻害するため、１００μｍ以下の厚さとするのが適当であり、より好ましくは、上記の通り２０〜３０μｍの厚さとするのが良い。
【００２５】
上記においては、ＬＥＤチップ24が配置された第１のリードフレーム20の先端部20ａが、高熱伝導性絶縁接着材42を介して放熱部材15と接続されているので、ＬＥＤチップ24の発熱は、第１のリードフレーム20及び高熱伝導性絶縁接着材42を介して放熱部材15へと伝導し、ＬＥＤ10外部へ効率良く放熱することができる。
【００２６】
上記枠部材14及び放熱部材15に、それぞれ一対の切欠部38，32を形成したのは、ＬＥＤチップ24に接続されたリードフレーム20，22の取出し方向の自由度を高めるためである。
すなわち、枠部材14及び放熱部材15の切欠部38，32は、リードフレーム20，22の枠体18からの取出箇所と対応する位置に形成されると共に、枠部材14の切欠部38の幅はリードフレーム20，22の幅と略同一、放熱部材15の切欠部32の幅はリードフレーム20，22より幅広と成されていることから、切欠部38，32内において、リードフレーム20，22を屈曲させて所望の方向へ取出すことができる。
【００２７】
例えば、図１４に示すように、リードフレーム20，22を、枠部材14及び放熱部材15の切欠部38，32内において、枠部材14の垂下部36の外面36ａに沿うよう下方に屈曲させた後、放熱部材15の本体部底面30ｂと略面一となるよう放熱部材15外方へ９０度屈曲させれば、リードフレーム20，22を回路基板等（図示せず）へ表面実装することが可能となる。
また、放熱部材15の本体部底面30ｂを、他の放熱部材（図示省略）上に表面実装することにより、本体部底面30ｂを他の放熱部材に接触させれば、ＬＥＤチップ24の発熱を、放熱部材15を介して、更に他の放熱部材へと効率良く放熱することができる。
【００２８】
また、図１５に示すように、リードフレーム20，22を、枠部材14及び放熱部材15の切欠部38，32内において、枠部材14の垂下部36の外面36ａに沿うよう屈曲させて垂直下方向に取り出せば、放熱パイプ50（他の放熱部材）の筒状体52内部に収納して使用することができる。
この場合、枠部材14の垂下部36で覆われいない放熱部材15の本体部30の側周面30ａを、放熱パイプ50の筒状体52の内周面と接触させることにより、ＬＥＤチップ24の発熱を、放熱部材15を介して、更に放熱パイプ50へと効率良く放熱することができる。
【００２９】
尚、上記した通り、絶縁材料で構成された枠部材14は、導電材料で構成された放熱部材15と、ＬＥＤ10の第１のリードフレーム20、第２のリードフレーム22との絶縁性を確保するために用いられるものである。
すなわち、ＬＥＤ10を枠部材14の垂下部36の段部40上に載置した際、ＬＥＤ10の第１のリードフレーム先端部20ａと放熱部材15間に２０〜３０μｍの間隙が形成されるので、ＬＥＤ10の第１のリードフレーム先端部20ａと放熱部材15との物理的な接触が阻止され絶縁性が確保される。
【００３０】
また、図１４及び図１５に示すように、リードフレーム20，22を、枠部材14及び放熱部材15の切欠部38，32内において、枠部材14の垂下部36の外面36ａに沿うよう下方に屈曲させた場合においても、放熱部材15の切欠部32形成位置の本体部側周面30ａが枠部材14の垂下部36で覆われているので、リードフレーム20，22と放熱部材15との物理的な接触が阻止され絶縁性が確保される。
【００３１】
而して、導電材料で構成された放熱部材15と、ＬＥＤ10の第１のリードフレーム20、第２のリードフレーム22との絶縁性を確保するのは、例えば、図１４に示した構造の表面実装用のＬＥＤ10を、他の導電性の放熱部材（図示省略）上に多数個配置して使用する場合等、複数個のＬＥＤ10を同一の導電部材上に配置して使用する場合があるためである。
【００３２】
尚、他の放熱部材として、表面に絶縁被膜を形成したアルミニウム基板（図示省略）を用い、該アルミニウム基板上に、本発明のＬＥＤ10を載置するようにしても良い。この場合、ＬＥＤチップ24が配置された第１のリードフレーム20の先端部20ａが、アルミニウム基板に接続されるため、ＬＥＤチップ24の発熱は、第１のリードフレーム20を介してアルミニウム基板へと伝導し、ＬＥＤ10外部へ効率良く放熱することができる。
【００３３】
上記においては、半導体チップとしてＬＥＤチップ24、半導体素子としてＬＥＤ10を例示したが、これに限定されるものではなく、半導体チップとしてレーザーダイオードチップ等、半導体素子としてレーザーダイオード等を用いることもできる。
【００３４】
また、上記においては、第１のリードフレーム20の上方に、所定の間隙を設けて対向配置される第２のリードフレーム22が１本の場合を例示したが、これに限定されるものではなく、第２のリードフレーム22は複数本あっても良い。
【図面の簡単な説明】
【００３５】
【図１】本発明に係る発光ダイオード（半導体素子）を模式的に示す平面図である。
【図２】本発明に係る発光ダイオード（半導体素子）を模式的に示す概略断面図である。
【図３】本発明に係る発光ダイオード（半導体素子）を放熱部材に接続した場合を模式的に示す概略断面図である。
【図４】本発明に係る発光ダイオード（半導体素子）を放熱部材に接続した場合を模式的に示す平面図である。
【図５】図３のＡ−Ａ概略断面図である。
【図６】放熱部材を模式的に示す正面図である。
【図７】放熱部材を模式的に示す平面図である。
【図８】放熱部材を模式的に示す側面図である。
【図９】図７のＢ−Ｂ概略断面図である。
【図１０】枠部材を模式的に示す平面図である。
【図１１】枠部材を模式的に示す側面図である。
【図１２】図１０のＣ−Ｃ概略断面図である。
【図１３】本発明に係る発光ダイオード（半導体素子）、枠部材、放熱部材の一体化の方法を示す説明図である。
【図１４】本発明に係る発光ダイオード（半導体素子）のリードフレームの取出し方向を変化させた状態を模式的に示す概略断面図である。
【図１５】本発明に係る発光ダイオード（半導体素子）のリードフレームの取出し方向を変化させた状態を模式的に示す概略断面図である。
【図１６】従来の発光ダイオード（半導体素子）を模式的に示す概略断面図である。
【符号の説明】
【００３６】
10  発光ダイオード
16  孔
18  枠体
18ａ枠体の底面
18ｂ枠体の側周面
20  第１のリードフレーム
20ａ第１のリードフレームの先端部
20ｂ第１のリードフレームの後端部
22  第２のリードフレーム
22ａ第２のリードフレームの先端部
22ｂ第２のリードフレームの後端部
24  ＬＥＤチップ
26  ボンディングワイヤ
28  コーティング材
【図１】
2008187029.tif 000003
【図２】
2008187029.tif 000004
【図３】
2008187029.tif 000005
【図４】
2008187029.tif 000006
【図５】
2008187029.tif 000007
【図６】
2008187029.tif 000008
【図７】
2008187029.tif 000009
【図８】
2008187029.tif 000010
【図９】
2008187029.tif 000011
【図１０】
2008187029.tif 000012
【図１１】
2008187029.tif 000013
【図１２】
2008187029.tif 000014
【図１３】
2008187029.tif 000015
【図１４】
2008187029.tif 000016
【図１５】
2008187029.tif 000017
【図１６】
2008187029.tif 000018